(57)【特許請求の範囲】
【請求項１】
原稿を照射する光源と、
前記光源の光が前記原稿で反射した反射光を受光して前記反射光の強度に応じたデジタル信号を生成する複数の受光部と、
前記複数の受光部が生成した前記デジタル信号に基づいて画像処理を行う画像処理部とを備え、
前記複数の受光部は、主走査方向に沿って配置されるとともに、上流側の受光部の前記デジタル信号をその下流側の他の受光部を介して前記画像処理部に転送するように直列に接続され、前記反射光の強度に応じた信号を読み取るリードサイクルと、前記リードサイクルで読み取った前記信号を前記デジタル信号に変換するＡＤ変換サイクルと、前記ＡＤ変換サイクルで変換した前記デジタル信号を下流側の他の受光部又は前記画像処理部に転送する転送サイクルとを実行するものであり、
前記上流側の受光部が実行する前記リードサイクル、前記ＡＤ変換サイクル又は前記転送サイクルは、前記下流側の他の受光部が実行する前記リードサイクル、前記ＡＤ変換サイクル又は前記転送サイクルと並列的に実行される画像読取装置。
【請求項２】
前記受光部は、
前記反射光の強度に応じた信号を出力する複数の受光素子と、
前記複数の受光素子の出力信号を量子化された信号に変換してデジタル信号を生成する変換素子と、
他の受光部から転送される前記デジタル信号を受け付け可能な受付手段と、
前記変換素子が生成した前記デジタル信号及び前記受付手段が受け付けた前記デジタル信号を、出力順序を制御して前記下流側の他の受光部又は前記画像処理部に出力することが可能な出力手段と、を備える請求項１に記載の画像読取装置。
【請求項３】
前記受光部は、前記他の受光部との間における前記デジタル信号の転送方向を反転可能に構成されている請求項１又は２に記載の画像読取装置。
【請求項４】
前記複数の受光部間は、複数の信号線を有するパラレルデータバスで接続され、前記上流側の受光部から前記下流側の受光部に前記デジタル信号がパラレル信号として転送される請求項１に記載の画像読取装置。
【請求項５】
前記複数の受光部は、前記反射光の強度に応じた信号をサンプリング及び保持するサンプルホールド回路を有し、前記サンプルホールド回路が保持した前記信号を前記デジタル信号にＡＤ変換して他の受光部に転送する請求項１に記載の画像読取装置。
【請求項６】
第１の受光部と第２の受光部とを備え、
前記第１の受光部は、
受光した光の強度に応じた信号を出力する第１の受光素子と、
前記第１の受光素子の出力信号をデジタル信号に変換し、前記受光した光の強度を示す第１の受光情報を生成する第１の変換素子と、
前記第１の受光情報を前記第２の受光部に出力する第１の出力手段とを有し、前記受光した光の強度に応じた信号を読み取るリードサイクルと、前記リードサイクルで読み取った前記信号を前記デジタル信号に変換するＡＤ変換サイクルと、前記ＡＤ変換サイクルで変換した前記デジタル信号を前記第２の受光部又は画像処理部に転送する転送サイクルとを実行するものであり、
前記第２の受光部は、
受光した光の強度に応じた信号を出力する第２の受光素子と、
前記第２の受光素子の出力信号を量子化された信号に変換し、前記受光した光の強度を示す第２の受光情報を生成する第２の変換素子と、
前記第１の受光部から前記第１の受光情報を受け付ける受付手段と、
前記第２の受光情報及び前記受付手段が受け付けた前記第１の受光情報とを出力する第２の出力手段とを有して前記受光した光の強度に応じた信号を読み取るリードサイクルと、前記リードサイクルで読み取った前記信号を前記デジタル信号に変換するＡＤ変換サイクルと、前記ＡＤ変換サイクルで変換した前記デジタル信号を下流の他の受光部又は画像処理部に転送する転送サイクルとを実行するものであり、
前記第１の受光部が実行する前記リードサイクル、前記ＡＤ変換サイクル又は前記転送サイクルは、前記第２の受光部が実行する前記リードサイクル、前記ＡＤ変換サイクル又は前記転送サイクルと並列的に実行される受光装置。
【発明の詳細な説明】
【技術分野】
【０００１】
本発明は、画像読取装置及び受光装置に関する。
【背景技術】
【０００２】
従来、光源の光によって原稿を照射し、その反射光を複数の受光素子で受光して、これら複数の受光素子から得た画像データを上位の制御部に出力する画像読取装置が知られている（例えば、特許文献１参照）。
【０００３】
特許文献１に記載の一次元イメージセンサでは、複数のホトダイオードを複数のブロックに分割し、１つのブロックに属する複数のホトダイオードに共通のパルス信号を供給することにより、これら同一ブロックの複数のホトダイオードから画像信号を取り出すように構成されている。それぞれのホトダイオードは、同一ブロック内では独立しており、かつ異なるブロックに属する他の対応するホトダイオードと共通する出力線に接続されている。
【先行技術文献】
【特許文献】
【０００４】
【特許文献１】特開平７−２１１８８１号公報
【発明の概要】
【発明が解決しようとする課題】
【０００５】
本発明の課題は、受光した光の強度を示す情報を出力する受光部が他の受光部を介することなくその情報を出力するように構成した場合に比較して、複数の受光部に接続される配線の長さを短くすることが可能な画像読取装置及び受光装置を提供することにある。
【課題を解決するための手段】
【０００６】
［１］原稿を照射する光源と、前記光源の光が前記原稿で反射した反射光を受光して前記反射光の強度に応じたデジタル信号を生成する複数の受光部と、前記複数の受光部が生成した前記デジタル信号に基づいて画像処理を行う画像処理部とを備え、前記複数の受光部は、主走査方向に沿って配置されるとともに、上流側の受光部の前記デジタル信号をその下流側の他の受光部を介して前記画像処理部に転送するように直列に接続され、前記反射光の強度に応じた信号を読み取るリードサイクルと、前記リードサイクルで読み取った前記信号を前記デジタル信号に変換するＡＤ変換サイクルと、前記ＡＤ変換サイクルで変換した前記デジタル信号を下流側の他の受光部又は前記画像処理部に転送する転送サイクルとを実行するものであり、前記上流側の受光部が実行する前記リードサイクル、前記ＡＤ変換サイクル又は前記転送サイクルは、前記下流側の他の受光部が実行する前記リードサイクル、前記ＡＤ変換サイクル又は前記転送サイクルと並列的に実行される画像読取装置。
【０００７】
［２］前記受光部は、前記反射光の強度に応じた信号を出力する複数の受光素子と、前記複数の受光素子の出力信号を量子化された信号に変換してデジタル信号を生成する変換素子と、他の受光部から転送される前記デジタル信号を受け付け可能な受付手段と、前記変換素子が生成した前記デジタル信号及び前記受付手段が受け付けた前記デジタル信号を、出力順序を制御して前記下流側の他の受光部又は前記画像処理部に出力することが可能な出力手段と、を備える前記［１］に記載の画像読取装置。
【０００８】
［３］前記受光部は、前記他の受光部との間における前記デジタル信号の転送方向を反転可能に構成されている前記［１］又は［２］に記載の画像読取装置。
［４］前記複数の受光部間は、複数の信号線を有するパラレルデータバスで接続され、前記上流側の受光部から前記下流側の受光部に前記デジタル信号がパラレル信号として転送される前記［１］に記載の画像読取装置。
［５］前記複数の受光部は、前記反射光の強度に応じた信号をサンプリング及び保持するサンプルホールド回路を有し、前記サンプルホールド回路が保持した前記信号を前記デジタル信号にＡＤ変換して他の受光部に転送する前記［１］に記載の画像読取装置。
【０００９】
［６］第１の受光部と第２の受光部とを備え、前記第１の受光部は、受光した光の強度に応じた信号を出力する第１の受光素子と、前記第１の受光素子の出力信号をデジタル信号に変換し、前記受光した光の強度を示す第１の受光情報を生成する第１の変換素子と、前記第１の受光情報を前記第２の受光部に出力する第１の出力手段とを有し、前記受光した光の強度に応じた信号を読み取るリードサイクルと、前記リードサイクルで読み取った前記信号を前記デジタル信号に変換するＡＤ変換サイクルと、前記ＡＤ変換サイクルで変換した前記デジタル信号を前記第２の受光部又は画像処理部に転送する転送サイクルとを実行するものであり、前記第２の受光部は、受光した光の強度に応じた信号を出力する第２の受光素子と、前記第２の受光素子の出力信号を量子化された信号に変換し、前記受光した光の強度を示す第２の受光情報を生成する第２の変換素子と、前記第１の受光部から前記第１の受光情報を受け付ける受付手段と、前記第２の受光情報及び前記受付手段が受け付けた前記第１の受光情報とを出力する第２の出力手段とを有して前記受光した光の強度に応じた信号を読み取るリードサイクルと、前記リードサイクルで読み取った前記信号を前記デジタル信号に変換するＡＤ変換サイクルと、前記ＡＤ変換サイクルで変換した前記デジタル信号を下流の他の受光部又は画像処理部に転送する転送サイクルとを実行するものであり、前記第１の受光部が実行する前記リードサイクル、前記ＡＤ変換サイクル又は前記転送サイクルは、前記第２の受光部が実行する前記リードサイクル、前記ＡＤ変換サイクル又は前記転送サイクルと並列的に実行される受光装置。
【発明の効果】
【００１０】
請求項１，６に記載の発明によれば、受光した光の強度を示す情報を出力する受光部が他の受光部を介することなくその情報を出力するように構成した場合に比較して、複数の受光部に接続される配線の長さを短くすることが可能となる。
【００１１】
請求項２に記載の発明によれば、主走査方向に沿った受光部の配置に応じた順番で画像情報を画像処理部に転送することができる。
【００１２】
請求項３に記載の発明によれば、複数の受光部の間で画像情報を上流側から下流側、及び下流側から上流側に向かって転送することができる。
請求項４に記載の発明によれば、データ転送をパラレル信号で行うことにより、シリアル信号よりもデジタル信号の転送を高速にすることができる。
請求項５に記載の発明によれば、ラインメモリを用いる場合と比較して電力を削減することができる。
【図面の簡単な説明】
【００１３】
【図１】本発明の第１の実施の形態に係る画像読取装置の構成例を示す図である。
【図２】画像読取装置の全体構成の一例を示す図である。
【図３】受光部及び受光装置の具体例を示し、（ａ）は受光部の概略の構成の一例を示す図、（ｂ）は複数の受光部を備えた受光装置の概略の構成の一例を示す図である。
【図４】送信部及び受信部の概略の構成例を示す図である。
【図５】画像読取装置の動作順序の一例を示すタイミングチャートである。
【図６】本発明の第２の実施の形態に係る画像読取装置の動作順序の一例を示すタイミングチャートである。
【図７】本発明の第３の実施の形態に係る受光部間の送受信部の構成の一例を示す図である。
【図８】本発明の第４の実施の形態に係る受光部間の送受信部の構成の一例を示す図である。
【図９Ａ】本発明の第５の実施の形態に係る受光部の概略の構成の一例を示す図である。
【図９Ｂ】本発明の第５の実施の形態に係る受光装置の概略の構成の一例を示す図である。
【図１０】本発明の第５の実施の形態に係る画像読取装置の動作順序の一例を示すタイミングチャートである。
【図１１Ａ】本発明の第６の実施の形態に係る受光部の概略の構成の一例を示す図である。
【図１１Ｂ】本発明の第６の実施の形態に係る受光装置の概略の構成の一例を示す図である。
【発明を実施するための形態】
【００１４】
［第１の実施の形態］
（画像読取装置の構成）
図１は、本発明の第１の実施の形態に係る画像読取装置の構成例を示す概略図である。この画像読取装置１００は、例えば複写機等の画像形成装置に組み込まれ、本体部１と、本体部１に対して開閉可能な蓋部２とを有し、原稿９の表面９ａの画像を読み取るように構成されている。
【００１５】
本体部１は、ガラス等の透明体からなる原稿台１１と、ＬＥＤ等の発光体からなる光源１２と、光源１２の光を主走査方向に導く一対の導光体１３と、結像レンズ１４と、受光部３とを有している。光源１２，導光体１３，結像レンズ１４，及び受光部３は、画像読取部１０を構成する。原稿台１１の蓋部２側の面には、シェーディング補正のための白基準部材１１１が配置されている。
【００１６】
結像レンズ１４は、例えば主走査方向に並列する複数のセルフォックレンズ（登録商標）によって形成されたロッドレンズアレイからなり、原稿９と受光部３との間に配置されている。この結像レンズ１４は、光源１２から導光体１３を介して原稿９を照射する照射光８ａが原稿９の表面９ａで反射した反射光８ｂを入射し、受光部３の受光素子に結像するように構成されている。受光部３の構成については後述する。
【００１７】
蓋部２は、給紙トレイ２１、原稿分離ロール２２、原稿搬送ロール２３、読取ロール２４、排出ロール２５、及び排紙台２６を有し、本体部１の上方に配置されている。
【００１８】
原稿分離ロール２２、原稿搬送ロール２３、読取ロール２４、及び排出ロール２５は、原稿搬送機構２０を構成し、原稿９を給紙トレイ２１から、読取ロール２４と原稿台１１との間の原稿読取位置を経由して、排紙台２６まで搬送する。
【００１９】
図２は、画像読取装置１００の全体構成の一例を示す構成図である。画像読取装置１００は、画像読取部１０と、原稿搬送機構２０と、画像読取装置１００の全体の制御を行うコントローラ４０と、原稿９の画像の読み取りを制御する読取制御部４１と、ユーザの操作によって動作指示や各種設定等の入力が可能な操作パネル４２とを有する。
【００２０】
読取制御部４１は、原稿搬送機構２０を構成する各ロールを駆動する駆動制御部４１１と、光源１２の点灯を制御する点灯制御部４１２と、受光部３から受け付けた画像情報（受光情報）に基づく画像処理を行う画像処理部４１３と、画像処理部４１３で画像処理を行った後の画像情報をコントローラ４０に送信する送信部４１４とを有する。受光部３は、複数の受光素子を有する受光部（後述）を複数個備えて構成されている。
【００２１】
画像処理部４１３は、受光素子の感度ばらつきを補正するシェーディング補正や、複数の受光部の間の位置に対応する画素の情報を周辺の画素の画像情報に基づいて生成する補間処理等の画像処理を行い、この画像処理後の画像情報を送信部４１４を介してコントローラ４０に送る。
【００２２】
コントローラ４０は、受け取った画像情報を例えば複写機の画像形成部に出力して用紙に画像を印刷させ、あるいは通信回線で接続されたコンピュータや記憶媒体等に画像情報を出力する。
【００２３】
（受光部の構成）
図３（ａ）は、受光部３を構成する受光部３００の概略の構成の一例を示す。受光装置３は、この受光部３００を複数備えて構成されている。
【００２４】
受光部３００は、フォトダイオードアレイ３１と、ＡＤコンバータアレイ３２と、ラインメモリ３３と、送信部３４と、受信部３５とを有する。この受光部３００は、例えばセラミックやモールド樹脂等の封止材料によって封止され、１つの電子部品（受光部品）としてプリント基板等に実装される。
【００２５】
フォトダイオードアレイ３１は、ｎ個（複数）のフォトダイオード３１１，３１２，・・・，３１ｎ−１，３１ｎを備えている。これらのフォトダイオード３１１，３１２，・・・，３１ｎ−１，３１ｎは、それぞれが受光素子の一例であり、原稿９の表面９ａで反射した反射光８ｂ（図１参照）を受けて光電変換し、発生した電荷を蓄積する。
【００２６】
ＡＤコンバータアレイ３２は、同じくｎ個のＡＤ変換素子３２１，３２２，・・・，３２ｎ−１，３２ｎを備えている。これらのＡＤ変換素子３２１，３２２，・・・，３２ｎ−１，３２ｎは、それぞれが変換素子の一例であり、フォトダイオード３１１，３１２，・・・，３１ｎ−１，３１ｎのそれぞれに対応している。これらのＡＤ変換素子３２１，３２２，・・・，３２ｎ−１，３２ｎは、フォトダイオード３１１，３１２，・・・，３１ｎ−１，３１ｎに蓄積された電荷（信号電荷）をアナログ信号として読み出し、そのアナログ信号を量子化して例えば８ビットの画像情報としてのデジタル信号に変換する。
【００２７】
ラインメモリ３３は、同じくｎ個のレジスタ３３１，３３２，・・・，３３ｎ−１，３３ｎを備えている。これらのレジスタ３３１，３３２，・・・，３３ｎ−１，３３ｎは、それぞれがＡＤ変換素子３２１，３２２，・・・，３２ｎ−１，３２ｎに対応すると共に、第１のレジスタ３３１から第２のレジスタ３３２へ、また第２のレジスタ３３２からその後段のレジスタへと、レジスタの記憶内容を１つずつ予め定められた周期でシフトさせることが可能なシフトレジスタとして構成されている。
【００２８】
送信部３４は、ラインメモリ３３を構成するｎ個のレジスタのうち、最後段の第ｎのレジスタ３２ｎに記憶された画像情報を入力し、この画像情報を送信端子３４ａから送信する。また、送信部３４は、第ｎのレジスタ３２ｎから受け付けた未送信又は送信中の画像情報がある場合には、送信すべきデータがあることを示す送信リクエスト信号を出力端子３４ｂから出力するように構成されている。送信部３４及びラインメモリ３３は、出力手段の一例である。
【００２９】
受信部３５は、外部から入力端子３５ｂに入力される受信リクエスト信号に応じて受信端子３５ａからデータを受信し、受信したデータをラインメモリ３３の最前段の第１のレジスタ３２１に記憶させるように構成されている。受信部３５は、他の受光部３００から転送される画像情報を受け付ける受付手段の一例である。
【００３０】
なお、図示は省略しているが、受光部３００内には、各部の動作タイミングを規定するために、例えばコントローラ４０（図２参照）から入力されるクロック信号を受光部３００の各部に伝達するためのクロック信号線が設けられている。すなわち、フォトダイオードアレイ３１，ＡＤコンバータアレイ３２，ラインメモリ３３，送信部３４，及び受信部３５の動作は、このクロック信号により同期して行われる。また、必要に応じてＰＬＬ回路（Phase-locked loop circuit：位相同期回路）を設けてもよい。
【００３１】
また、受光部３００には、入力端子３０ａから画像処理部４１３より出力されるリード信号が入力される。受光部３００は、このリード信号に応じてＡＤコンバータアレイ３２の各ＡＤ変換素子３２１，３２２，・・・，３２ｎ−１，３２ｎがフォトダイオードアレイ３１の各フォトダイオード３１１，３１２，・・・，３１ｎ−１，３１ｎからの電荷を示すアナログ信号をサンプルホールドし、これをデジタル信号に変換するように構成されている。ＡＤコンバータアレイ３２は、これらのデジタル信号をラインメモリ３３の各レジスタ３３１，３３２，・・・，３３ｎ−１，３３ｎに記憶させる。
【００３２】
（受光部の接続構成）
図３（ｂ）は、受光装置３の概略の構成例を示す。本実施の形態では、例として第１〜第３の受光部３０１〜３０３を配列した場合について説明する。また、以下の説明では、受光装置３のうち、第１の受光部３０１の側を上流側、第３の受光部３０３の側を下流側とする。
【００３３】
第１〜第３の受光部３０１〜３０３の各受光素子は、図３（ａ）に示す受光部３００と同じ構成及び機能を有するが、それぞれの受光部３００を区別するために、最も上流側に配置された受光部３００を「第１の受光部（符号３０１）」、第１の受光部３０１の下流側に接続された受光部３００を「第２の受光部（符号３０２）」、第２の受光部３０２の下流側に接続された受光部３００を「第３の受光部（符号３０３）」と称して説明する。
【００３４】
第１の受光部３０１，第２の受光部３０２，及び第３の受光部３０３は、主走査方向に沿って、第１及び第２の伝送線路３ａ，３ｂを介して直列に接続されている。第１の受光部３０１の送信端子３４ａは、第２の受光部３０２の受信端子３５ａに第１の伝送線路３ａを介して接続され、第２の受光部３０２の送信端子３４ａは、第３の受光部３０３の受信端子３５ａに第２の伝送線路３ｂを介して接続されている。第３の受光部３０３の送信端子３４ａは、第３の伝送線路３ｃを介して画像処理部３１４に接続されている。
【００３５】
また、第１の受光部３０１の出力端子３４ｂは、第２の受光部３０２の入力端子３５ｂに接続され、第２の受光部３０２の出力端子３４ｂは、第３の受光部３０３の入力端子３５ｂに接続されている。第３の受光部３０３の出力端子３４ｂは、画像処理部４１３に接続されている。第１の受光部３０１の入力端子３５ｂは、グランド（０Ｖ）に接続されている。
【００３６】
また、第１の受光部３０１，第２の受光部３０２，及び第３の受光部３０３のそれぞれの入力端子３０ａは、画像処理部４１３から出力される共通のリード信号（ＲＤ）の信号線に接続されている。
【００３７】
（送信部及び受信部の構成）
図４は、送信部３４と受信部３５、及びその周辺部の概略の構成例を示す構成図である。この図では、例として第１の受光部３０１の送信部３４と、第２の受光部３０２の受信部３５とを示しているが、第２の受光部３０２と第３の受光部３０３との間の送信部３４及び受信部３５も同様に構成されている。
【００３８】
送信部３４は、シリアライザ３４１と、差動送信器３４２と、タイミング制御回路３４３とを有している。
【００３９】
シリアライザ３４１は、ラインメモリ３３における最後段の第ｎのレジスタ３３ｎからの画像情報を示すパラレルデータをシリアルデータに変換し、このシリアルデータを差動送信器３４１に出力する。
【００４０】
差動送信器３４２は、シリアライザ３４１から入力されたシリアルデータを第１の送信端子３４２ａ及び第２の送信端子３４２ｂから差動出力して送信する。この第１の送信端子３４２ａ及び第２の送信端子３４２ｂは、送信端子３４ａ（図３（ｂ）参照）を構成する。
【００４１】
タイミング制御回路３４３は、入力端子３０ａにリード信号が入力された後、ラインメモリ３３に画像情報が記憶されたタイミングで、シリアライザ３４１にパラレルデータからシリアルデータへの変換を実行すべき指令信号（イネーブル信号）を出力すると共に、出力端子３４ｂから送信リクエスト信号を出力する。シリアライザ３４１は、この指令信号を受けて変換処理を開始する。
【００４２】
受信部３５は、差動受信器３５１と、デシリアライザ３５２と、タイミング制御回路３５３とを有している。
【００４３】
差動受信器３５１は、第１の受光部３０１の差動送信器３４２の差動出力を第１の受信端子３５１ａ及び第２の受信端子３５１ｂから入力し、デシリアライザ３５２に出力する。この第１の受信端子３５１ａ及び第２の受信端子３５１ｂは、受信端子３５ａ（図３（ｂ）参照）を構成する。
【００４４】
デシリアライザ３５２は、差動受信器３５１から入力されたシリアルデータをパラレルデータに変換し、このパラレルデータの情報をラインメモリ３３における最前段の第１のレジスタ３３１に記憶させる。
【００４５】
タイミング制御回路３５３は、第１の受光部３０１の出力端子３４ｂから出力された送信リクエスト信号を入力端子３５ｂから入力し、デシリアライザ３５２にシリアルデータからパラレルデータへの変換を実行すべき指令信号を出力する。
【００４６】
また、タイミング制御回路３５３は、送信リクエスト信号がオフして最後に受信したデータが第１のレジスタ３３１に記憶された後、ラインメモリ３３におけるレジスタ３３１，３３２，・・・，３３ｎ−１，３３ｎの記憶内容のシフト動作をｎ回に亘って継続させるべく、ラインメモリ３３にシフト動作指令信号を出力する。ラインメモリ３３は、このシフト動作指令信号がオンしている間、予め定められた周期でシフト動作を実行する。
【００４７】
（画像読取装置の動作）
次に、図１〜図５を参照して画像読取装置１００の動作例を説明する。
図５は、画像読取装置１００の動作順序の一例を示すタイミングチャートである。
【００４８】
ユーザが原稿９を給紙トレイ２１にセットし、操作パネル４２を操作して画像の読み取りを指示すると、コントローラ４０は、駆動制御部４１１に原稿９の搬送を開始すべき制御信号を送ると共に、点灯制御部４１２に光源１２を点灯すべき制御信号を送る。これを受けて、駆動制御部４１１は原稿搬送機構２０を制御して原稿９の搬送を開始する。また、点灯制御部４１２は光源１２に電流を供給して光源１２を点灯させる。
【００４９】
原稿９の読み取り領域が原稿読取位置に到達すると、第１の受光部３０１，第２の受光部３０２，第３の受光部３０３，及び画像処理部４１３は、図５に示す一連の動作サイクルを副走査方向の読み取り位置ごとに繰り返し実行する。この一連の動作サイクルは、リードサイクル，ＡＤ変換サイクル，第１の転送サイクル，第２の転送サイクル，第３の転送サイクル，及びアイドルサイクルである。
【００５０】
リードサイクルは、ＡＤコンバータアレイ３２のＡＤ変換素子３２１，３２２，・・・，３２ｎ−１，３２ｎが、フォトダイオードアレイ３１の各フォトダイオード３１１，３１２，・・・，３１ｎ−１，３１ｎから、それぞれのフォトダイオードが受光した反射光８ｂの強度に応じた信号を読み出す期間である。
【００５１】
より詳細には、このリードサイクルは、画像処理部４１３からのリード信号の出力によって開始され、フォトダイオード３１１，３１２，・・・，３１ｎ−１，３１ｎは、リード信号を受けて読み出しゲートを開き、光電変換により蓄積された信号電荷に対応したアナログ信号を出力する。ＡＤ変換素子３２１，３２２，・・・，３２ｎ−１，３２ｎは、対応するフォトダイオードから出力されたアナログ信号をサンプルホールドし、次の露光のためにフォトダイオードの電荷をリセットする。これによりリードサイクルが終了する。
【００５２】
ＡＤ変換サイクルは、ＡＤコンバータアレイ３２のＡＤ変換素子３２１，３２２，・・・，３２ｎ−１，３２ｎが、リードサイクルでサンプルホールドした信号電荷を量子化してデジタル信号に変換し、このデジタル信号をラインメモリ３３の対応するレジスタ３３１，３３２，・・・，３３ｎ−１，３３ｎに記憶させる期間である。
【００５３】
より詳細には、ＡＤ変換素子３２１，３２２，・・・，３２ｎ−１，３２ｎは、サンプルホールドしたアナログ信号の電圧と、カウント値のカウントアップと共に徐々に電圧値が上昇する比較対象電圧とを比較し、比較対象電圧の方が大きくなった時点のカウント値のデータを変換後のデジタル信号としてラインメモリ３３の対応するレジスタ３３１，３３２，・・・，３３ｎ−１，３３ｎに記憶させる。このラインメモリ３３に記憶されたデジタルデータは、原稿９の対応する読み取り位置における反射光８ｂの強度を示す画像情報（受光情報）である。
【００５４】
第１から第３の転送サイクルは、ＡＤ変換サイクルで第１の受光部３０１，第２の受光部３０２，及び第３の受光部３０３のラインメモリ３３に記憶された画像情報を、画像処理部４１３に順次転送する期間である。
【００５５】
図５に示す例では、ＡＤ変換サイクルにおいて、第１の受光部３０１のラインメモリ３３に記憶された画像情報をデータＡ、第２の受光部３０２のラインメモリ３３に記憶された画像情報をデータＢ、第３の受光部３０３のラインメモリ３３に記憶された画像情報をデータＣとして表している。
【００５６】
第１の転送サイクルでは、第１の受光部３０１で生成された画像情報が第２の受光部３０２に、第２の受光部３０２で生成された画像情報が第３の受光部３０３に、第３の受光部３０３で生成された画像情報が画像処理部４１３に、それぞれ転送される。
【００５７】
この転送の処理について、その手順を第１の転送サイクルにおける第１の受光部３０１から第２の受光部３０２への画像情報の転送を例にとって図３及び図４を参照して詳述すると、次のとおりである。
【００５８】
第１の受光部３０１のラインメモリ３３にＡＤコンバータアレイ３２からの画像情報が記憶された後、タイミング制御回路３４３は、シリアライザ３４１に指令信号を出力する。シリアライザ３４１は、ラインメモリ３３の最後段のレジスタ３３ｎに記憶された画像情報をパラレルデータとして読み出し、これをシリアルデータに変換して差動送信器３４２に出力する。ラインメモリ３３は、最後段のレジスタ３３ｎの画像情報が読み出された後、レジスタ３３１，３３２，・・・，３３ｎ−１，３３ｎの記憶内容を１つずつ後段側にシフトさせる。この際、最後段のレジスタ３３ｎに記憶されていた画像情報は消去される。また、タイミング制御回路３４３は、出力端子３４ｂから第２の受光部３０２に送信リクエスト信号を出力する。
【００５９】
第２の受光部３０２のタイミング制御回路３５３は、送信リクエスト信号に応じてデシリアライザ３５２にシリアルデータからパラレルデータへの変換を行わせる指令信号を出力する。また、差動受信器３５１は、一対の信号線からなる伝送線路３ａを介して差動送信器３４２の出力信号を受信し、その受信信号に応じたシリアルデータをデシリアライザ３５２に出力する。デシリアライザ３５２は差動送信器３４２からのシリアルデータをパラレルデータに変換し、ラインメモリ３３に出力する。このパラレルデータは、第１の受光部３０１から転送された画像情報として、最前段のレジスタ３３１に記憶される。
【００６０】
上記の転送処理を繰り返して行うことで、第２の受光部３０２のラインメモリ３３に順次第１の受光部３０１の画像情報が記憶されていく。そして、第１の受光部３０１及び第２の受光部３０２が上記の転送動作をｎ回繰り返すと、第１の受光部３０１のラインメモリ３３に記憶されていた全ての画像情報が第２の受光部３０２のラインメモリ３３に転送される。
【００６１】
また、第１の転送サイクルでは、第２の受光部３０２の画像情報の第３の受光部３０３への転送、及び第３の受光部３０３の画像情報の画像処理部４１３への転送も、上記の第１の受光部３０１の画像情報の第２の受光部３０２への転送処理と同様の処理手順によって並行して実行する。この第１の転送サイクルでは、第１の受光部３０１，第２の受光部３０２，及び第３の受光部３０３の全てが送信すべき画像情報を記憶しているので、第１の受光部３０１，第２の受光部３０２，及び第３の受光部３０３がそれぞれ送信リクエスト信号を出力する。すなわち、第１の受光部３０１，第２の受光部３０２，及び第３の受光部３０３は、第１の転送サイクルの間、送信リクエスト信号をオン状態にする。
【００６２】
第２の転送サイクルでは、第２の受光部３０２に記憶された画像情報が第３の受光部３０３に、第３の受光部３０３に記憶された画像情報が画像処理部４１３に、それぞれ転送される。この第２の転送サイクルにおいて、第２の受光部３０２から転送される画像情報は、ＡＤ変換サイクルにおいて第１の受光部３０１で生成された画像情報であり、第３の受光部３０３から転送される画像情報は、ＡＤ変換サイクルにおいて第２の受光部３０２で生成された画像情報である。
【００６３】
また、第２の転送サイクルでは、第１の受光部３０１からの画像情報は既に転送を完了しているので、第１の受光部３０１の送信リクエスト信号はオフ状態である。第２の受光部３０２及び第３の受光部３０３は、転送すべき画像情報を記憶しているので、第２の受光部３０２及び第３の受光部３０３の送信リクエスト信号はオン状態である。
【００６４】
第３の転送サイクルでは、第３の受光部３０３に記憶された画像情報が画像処理部４１３に転送される。この第３の転送サイクルにおいて、第３の受光部３０３から転送される画像情報は、ＡＤ変換サイクルにおいて第１の受光部３０１で生成された画像情報である。この第３の転送サイクルでは、第３の受光部３０３の送信リクエスト信号のみがオン状態である。
【００６５】
このように、第１から第３の転送サイクルによって、ＡＤ変換サイクルにおいて第１の受光部３０１，第２の受光部３０２，及び第３の受光部３０３で生成された画像情報の画像処理部４１３への転送が完了する。
【００６６】
第３の転送サイクルの後、第１の受光部３０１，第２の受光部３０２，及び第３の受光部３０３は、何れの処理も行わないアイドルサイクルに移行する。そして、画像処理部４１３から次のリード信号が出力されると、リードサイクル以降の処理を再度実行する。これにより、第１の受光部３０１，第２の受光部３０２，及び第３の受光部３０３は、前回よりも副走査方向に移動した別の読み取り位置で原稿９の画像を読み取る。
【００６７】
画像処理部４１３は、第１から第３の転送サイクルにおいて転送された画像情報に対してシェーディング補正や補間処理等の画像処理を行い、画像処理後の画像情報をコントローラ４０に送る。コントローラ４０は、受け取った画像情報を例えば複写機の画像形成部に出力して用紙に画像を印刷させ、あるいは原稿９の全体の画像情報を集約して通信回線で接続されたコンピュータや記憶媒体等に出力する。
【００６８】
［第２の実施の形態］
次に、図６を参照して本発明の第２の実施の形態を説明する。
図６は、本発明の第２の実施の形態に係る画像読取装置の動作順序の一例を示すタイミングチャートである。
【００６９】
本実施の形態に係る画像読取装置は、第１の実施の形態に係る画像読取装置１００と同様に構成されているが、第１の受光部３０１，第２の受光部３０２，及び第３の受光部３０３で生成された画像情報の転送サイクルの処理と、リードサイクル及びＡＤ変換サイクルの処理とが並行して実行される点で異なっている。
【００７０】
図６に示す例では、第３の転送サイクルの途中でリード信号がオンし、これによって第１の受光部３０１，第２の受光部３０２，及び第３の受光部３０３のフォトダイオードアレイ３１及びＡＤコンバータアレイ３２がリードサイクル及びＡＤ変換サイクルの処理を開始する。これらの処理は、第３の転送サイクルの転送処理と並行して実行される。
【００７１】
なお、図６では、第３の転送サイクルとリードサイクル及びＡＤ変換サイクルとを並行して実行する場合の例を示しているが、リードサイクル及びＡＤ変換サイクルの処理により長時間を要する場合には、第２の転送サイクル及び第３の転送サイクルとリードサイクル及びＡＤ変換サイクルとを並行して実行するようにしてもよい。さらには、第１の転送サイクルから第３の転送サイクルとリードサイクル及びＡＤ変換サイクルとを並行して実行するようにしてもよい。あるいは、リードサイクルの処理のみを第１から第３の画像情報の転送サイクルの少なくとも何れかの処理と並行して実行するようにしてもよい。
【００７２】
このように、リードサイクル及びＡＤ変換サイクルの少なくとも何れかの処理を画像情報の転送サイクルの処理と並行して実行することで、第１の実施の形態に比較して、より高頻度に原稿９の画像の読み取りが実行される。
【００７３】
［第３の実施の形態］
次に、図７を参照して本発明の第３の実施の形態を説明する。
図７は、本発明の第３の実施の形態に係る画像読取装置の受光部間の送受信部の構成の一例を示す構成図である。
【００７４】
本実施の形態に係る画像読取装置は、複数の受光部の間の画像情報の転送方向を反転させることができるように構成されている点で、上記第１及び第２の実施の形態と異なっている。本実施の形態に係る第１〜第３の受光部は、これら受光部同士の間もしくは画像処理部４１３との間で画像情報の送信又は受信を行う送受信部の構成が異なる他は、第１の実施の形態と同様に構成されている。
【００７５】
図７では、例として第１の受光部３０１Ａと第２の受光部３０２Ａとの間で画像情報の転送を行う送受信部を示しているが、この他の送受信部も同様に構成されている。第１の受光部３０１Ａと第２の受光部３０２Ａは、第１の受光部３０１Ａに設けられた第１の送受信部３４Ａと、第２の受光部３０２Ａに設けられた第２の送受信部３５Ａとによって画像情報の転送を行う。
【００７６】
第１の受光部３０１Ａの第１の送受信部３４Ａは、シリアライザ３４１と、差動送信器３４２と、差動受信器３４４と、デシリアライザ３４５と、タイミング制御回路３４６とを有している。
【００７７】
また、第１の受光部３０１Ａに設けられた入力端子３４ｄには、画像処理部４１３から出力される転送方向を示す方向指示信号（ＤＩＲ）が入力される。この方向指示信号は、タイミング制御回路３４６及び差動受信器３４４に入力されると共に、インバータ３４７を経由して反転した信号が差動送信器３４２に入力される。
【００７８】
シリアライザ３４１は、ラインメモリ３３における最後段の第ｎのレジスタ３２ｎからの画像情報を示すパラレルデータをシリアルデータに変換し、このシリアルデータを差動送信器３４２に出力する。
【００７９】
差動送信器３４２は、方向指示信号がオフ状態（インバータ３４７で反転した信号がオン状態）であるときに、シリアライザ３４１から入力されたシリアルデータを第１の送信端子３４２ａ及び第２の送信端子３４２ｂから伝送線路３ｄを介して送信する。ラインメモリ３３，シリアライザ３４１，差動送信器３４２，及びタイミング制御回路３４６は、出力手段の一例である。
【００８０】
差動受信器３４４は、方向指示信号がオン状態であるときに、後述する第２の受光部３０２Ａの差動送信器３５５からの差動信号を第１の受信端子３４４ａ及び第２の送信端子３４４ｂから入力し、デシリアライザ３４５に出力する。
【００８１】
デシリアライザ３４５は、差動受信器３４４から入力されたシリアルデータをパラレルデータに変換してラインメモリ３３に出力し、最後段の第ｎのレジスタ３２ｎにその内容を記憶させる。差動受信器３４４及びデシリアライザ３４５は、受付手段の一例である。
【００８２】
タイミング制御回路３４６は、方向指示信号がオフ状態であるときにシリアライザ３４１に動作を行わせる指示信号を出力し、方向指示信号がオン状態であるときにデシリアライザ３４５に動作を行わせる指示信号を出力する。また、タイミング制御回路３４６は、ラインメモリ３３に対し、方向指示信号がオフ状態であるときには第１のレジスタ３３１から第ｎのレジスタ３３ｎに向かってシフト動作を行わせ、方向指示信号がオン状態であるときには第ｎのレジスタ３３ｎから第１のレジスタ３３１に向かって逆方向にシフト動作を行わせる指示信号を出力する。
【００８３】
また、タイミング制御回路３４６は、方向指示信号がオフ状態でかつ第２の受光部３０２Ａに転送すべき画像情報がある場合には送信リクエスト信号を出力端子３４ｂから出力する。第２の受光部３０２Ａは、この送信リクエスト信号を入力端子３５ｂから入力する。
【００８４】
一方、第２の受光部３０２Ａの第２の送受信部３５Ａは、差動受信器３５１と、デシリアライザ３５２と、シリアライザ３５４と、差動送信器３５５と、タイミング制御回路３５６とを有している。
【００８５】
また、第２の受光部３０２Ａに設けられた入力端子３５ｄには、画像処理部４１３からの方向指示信号が入力される。この方向指示信号は、タイミング制御回路３５６及び差動送信器３５５に入力されると共に、インバータ３５７を経由して反転した信号が差動受信器３５１に入力される。
【００８６】
差動受信器３５１は、方向指示信号がオフ状態であるときに、第１の受光部３０１Ａの差動送信器３４２からの差動信号を第１の受信端子３５１ａ及び第２の送信端子３５１ｂから入力し、デシリアライザ３５２に出力する。
【００８７】
デシリアライザ３５２は、差動受信器３５１から入力されたシリアルデータをパラレルデータに変換してラインメモリ３３に出力し、最前段の第１のレジスタ３２１にその内容を記憶させる。差動受信器３５１及びデシリアライザ３５２は、受付手段の一例である。
【００８８】
シリアライザ３５４は、ラインメモリ３３における最前段の第１のレジスタ３２１からの画像情報を示すパラレルデータをシリアルデータに変換し、このシリアルデータを差動送信器３５５に出力する。
【００８９】
差動送信器３５５は、方向指示信号がオン状態であるときに、シリアライザ３５４から入力されたシリアルデータを第１の送信端子３５５ａ及び第２の送信端子３５５ｂから伝送線路３ｅを介して送信する。
【００９０】
タイミング制御回路３５６は、方向指示信号がオフ状態であるときにデシリアライザ３５２に動作を行わせる指示信号を出力し、方向指示信号がオン状態であるときにシリアライザ３５４に動作を行わせる指示信号を出力する。また、タイミング制御回路３５６は、ラインメモリ３３に対し、方向指示信号がオフ状態であるときには第１のレジスタ３３１から第ｎのレジスタ３３ｎに向かってシフト動作を行わせ、方向指示信号がオン状態であるときには第ｎのレジスタ３３ｎから第１のレジスタ３３１に向かって逆方向にシフト動作を行わせる指示信号を出力する。ラインメモリ３３，シリアライザ３５４，差動送信器３５５，及びタイミング制御回路３５６は、出力手段の一例である。
【００９１】
また、タイミング制御回路３５６は、方向指示信号がオン状態でかつ第１の受光部３０１Ａに転送すべき画像情報がある場合に、送信リクエスト信号を出力端子３５ｃから出力する。第１の受光部３０１Ａは、この送信リクエスト信号を入力端子３４ｃから入力する。
【００９２】
上記のように構成された第１の送受信部３４Ａ及び第２の送受信部３５Ａは、方向指示信号がオフ状態であるときには第１の送受信部３４Ａから第２の送受信部３５Ａへ画像情報を転送する。また、方向指示信号がオン状態であるときには第２の送受信部３５Ａから第１の送受信部３４Ａへ画像情報を転送する。これにより、方向指示信号をオン又はオフさせることで画像情報の転送方向が反転する。転送方向を反転させた場合、画像情報は下流側から上流側に転送され、画像処理部４１３は、第１の受光部３０１Ａから全ての画像情報を受信する。従って、例えば原稿９の表面を読み取った後に原稿９の表裏を反転させ、原稿９の裏面を読み取る場合に、画像処理部４１３において画像情報の配列を主走査方向に逆転させる処理が不要となる。
【００９３】
［第４の実施の形態］
次に、図８を参照して本発明の第４の実施の形態を説明する。
図８は、本発明の第４の実施の形態に係る画像読取装置の受光部間の送受信部の構成の一例を示す構成図である。
【００９４】
本実施の形態に係る画像読取装置は、受光部間における画像情報の転送を、シリアル通信ではなく、パラレルデータの入出力（Ｉ／Ｏ通信）により行うように構成されている点で、上記第１の実施の形態と異なっている。本実施の形態に係る第１〜第３の受光部は、これら受光部同士の間もしくは画像処理部４１３との間で画像情報の送信又は受信を行う送受信部の構成が異なる他は、第１の実施の形態と同様に構成されている。
【００９５】
図８では、例として本実施の形態に係る第１の受光部３０１Ｂと第２の受光部３０２Ｂとの間で画像情報の転送を行う出力部３４Ｂと入力部３５Ｂを示しているが、この他の送受信部も同様に構成されている。
【００９６】
第１の受光部３０１Ｂの出力部３４Ｂは、バスドライバ３４８と、タイミング制御回路３４９とを有している。第２の受光部３０２Ｂの入力部３５Ｂは、バスレシーバ３５８と、タイミング制御回路３５９とを有している。
【００９７】
バスドライバ３４８は、ラインメモリ３３における最後段の第ｎのレジスタ３３ｎからの画像情報を示すパラレルデータを入力し、プリント基板上に形成された伝送線路（データバス）３ｆを介してバスレシーバ３５８に出力する。バスレシーバ３５８が出力する信号線の数は、例えばラインメモリ３３の各レジスタに記憶された画像情報のビット数と同数である。バスレシーバ３５８は、入力された信号をラインメモリ３３に出力し、最前段の第１のレジスタ３３１にその内容を記憶させる。
【００９８】
第１の受光部３０１Ｂのタイミング制御回路３４９は、ＡＤコンバータアレイ３２からラインメモリ３３に画像情報が記憶されたタイミングで、バスドライバ３４８を動作させるための指示信号を出力すると共に、送信リクエスト信号を出力端子３４ｂから出力する。ラインメモリ３３，バスドライバ３４８，及びタイミング制御回路３４９は、出力手段の一例である。
【００９９】
第２の受光部３０２Ｂのタイミング制御回路３５９は、この送信リクエスト信号を入力端子３５ｂから入力し、バスレシーバ３５８を動作させるための指示信号を出力する。バスレシーバ３５８及びタイミング制御回路３５９は、受付手段の一例である。
【０１００】
第１の受光部３０１Ｂのラインメモリ３３、及び第２の受光部３０２Ｂのラインメモリ３３は、第１のレジスタ３３１から第ｎのレジスタ３３ｎに向かってシフト動作を行い、それぞれのレジスタに記憶された画像情報を順次第１の受光部３０１Ｂから第２の受光部３０２Ｂに転送する。
【０１０１】
本実施の形態では、受光部間の画像情報の転送をパラレルデータの入出力により行うので、シリアル通信により転送する場合に比較して、画像情報の転送が高速になる。
【０１０２】
［第５の実施の形態］
次に、図９Ａ及び図９Ｂを参照して本発明の第５の実施の形態を説明する。
【０１０３】
（受光部の構成）
図９Ａは、本発明の第５の実施の形態に係る画像読取装置の受光部３００Ｃの概略の構成の一例を示す。
【０１０４】
本実施の形態に係る受光部３００Ｃは、第１の実施の形態と同様に構成されたフォトダイオードアレイ３１，ＡＤコンバータアレイ３２，及びラインメモリ３３を有するが、他の受光部３００Ｃから転送された画像情報をラインメモリ３３に記憶しない点などで第１の実施の形態とは異なっている。
【０１０５】
本実施の形態に係る受光部３００Ｃは、フォトダイオードアレイ３１，ＡＤコンバータアレイ３２，ラインメモリ３３，送信部３４Ｃ，受信部３５Ｃ，セレクタ３６，及びタイミング制御回路３７１を有している。
【０１０６】
受信部３５Ｃは、他の受光部から画像情報をシリアルデータとして受信し、シリアルデータのままセレクタ３６に出力する。受信部３５Ｃは受付手段の一例である。
【０１０７】
セレクタ３６は、ラインメモリ３３の出力（パラレルデータ）をシリアルデータに変換するシリアライザ機能を備え、このラインメモリ３３の出力を変換したシリアルデータ、又は受信部３５Ｃの出力の何れか一方を送信部３４Ｃに出力するように構成されている。
【０１０８】
送信部３４Ｃは、セレクタ３６から出力されたシリアルデータを送信端子３４ａから送信する。
【０１０９】
タイミング制御回路３７１は、受光部３００Ｃの各部の動作を制御する。このタイミング制御回路３７１は、出力端子３７ａ，入力端子３７ｂ，出力端子３７ｃ，及び入力端子３７ｄに接続されている。セレクタ３６，送信部３４Ｃ，及びタイミング制御回路３７１は、出力手段の一例である。
【０１１０】
（受光装置の構成）
図９Ｂは、本実施の形態に係る第１の受光部３０１Ｃ，第２の受光部３０２Ｃ，及び第３の受光部３０３Ｃを主走査方向に沿って配列した受光装置３Ｃの構成例を示す。第１の受光部３０１Ｃ，第２の受光部３０２Ｃ，及び第３の受光部３０３Ｃは、図９Ａに示す受光部３００Ｃと同じ構成及び機能を有している。
【０１１１】
この図に示すように、第１の受光部３０１Ｃの出力端子３７ｃは第２の受光部３０２Ｃの入力端子３７ｂに、第２の受光部３０２Ｃの出力端子３７ａは第１の受光部３０１Ｃの入力端子３７ｄに、第３の受光部３０３Ｃの出力端子３７ａは画像処理部４１３に、それぞれ接続されている。また、第２の受光部３０２Ｃの出力端子３７ｃは第３の受光部３０３Ｃの入力端子３７ｂに、第３の受光部３０３Ｃの出力端子３７ａは第２の受光部３０２Ｃの入力端子３７ｄに、それぞれ接続されている。
【０１１２】
第１の受光部３０１Ｃの入力端子３７ｂはグランド（０Ｖ）に接続されている。画像処理部４１３からのリード信号は、第１の受光部３０１Ｃ，第２の受光部３０２Ｃ，及び第３の受光部３０３Ｃの入力端子３０ａ、並びに第３の受光部３０３Ｃの入力端子３７ｄに接続されている。
【０１１３】
（画像読取装置の動作）
次に、図９及び図１０を参照して画像読取装置１００の動作例を説明する。
図１０は、本実施の形態に係る画像読取装置の動作順序の一例を示すタイミングチャートである。
【０１１４】
画像読取装置１００は、第１〜第３の受光部３０１Ｃ，３０２Ｃ，３０３Ｃが画像処理部４１３からのリード信号を受けると、リードサイクルの動作を開始する。リードサイクルでは、ＡＤコンバータアレイ３２のＡＤ変換素子３２１，３２２，・・・，３２ｎ−１，３２ｎが、フォトダイオードアレイ３１の各フォトダイオード３１１，３１２，・・・，３１ｎ−１，３１ｎから、それぞれのフォトダイオードが受光した反射光８ｂの強度に応じた信号を読み出す。
【０１１５】
ＡＤ変換サイクルでは、ＡＤコンバータアレイ３２のＡＤ変換素子３２１，３２２，・・・，３２ｎ−１，３２ｎが、リードサイクルでサンプルホールドした信号電荷を量子化してデジタル信号に変換し、このデジタル信号をラインメモリ３３の対応するレジスタ３３１，３３２，・・・，３３ｎ−１，３３ｎに記憶させる。
【０１１６】
第１の転送サイクルでは、第３の受光素子３０３Ｃが画像処理部４１３に画像情報を送信する。第３の受光素子３０３Ｃのタイミング制御回路３７１は、入力端子３７ｄに入力された画像処理部４１３からのリード信号を記憶しており、送信部３４は、ＡＤ変換サイクルの後に直ちに、ラインメモリ３３に記憶された画像情報を画像処理部４１３に送信する。この際、第３の受光素子３０３Ｃのタイミング制御回路３７１は、出力端子３７ａから画像処理部４１３にアクノリッジ信号を出力する。このアクノリッジ信号は、後述する第３の転送サイクルが完了するまでオン状態が保持される。
【０１１７】
また、第３の受光素子３０３Ｃは、そのラインメモリ３３に記憶された画像情報の転送が終了すると、タイミング制御回路３７１が出力端子３７ａから受信リクエスト信号を出力する。
【０１１８】
第２の受光素子３０２Ｃのタイミング制御回路３７１は、受信リクエスト信号を入力端子３７ｄから入力し、この受信リクエスト信号に応答して転送すべき画像データがあることを示すアクノリッジ信号を出力端子３７ｃから出力する。また、第２の受光素子３０２Ｃのタイミング制御回路３７１は、受信リクエスト信号に応答して、第２の受光素子３０２Ｃのラインメモリ３３に記憶された画像情報をセレクタ３６を介して送信部３４Ｃに出力させ、第３の受光部３０３Ｃに送信させる。
【０１１９】
一方、第３の受光素子３０３Ｃのタイミング制御回路３７１は、アクノリッジ信号に応じて、受信部３５Ｃの出力信号が送信部３４Ｃに出力されるようにセレクタ３６の動作状態を切り換える。これにより、第２の転送サイクルにおいて、第２の受光素子３０２Ｃのラインメモリ３３に記憶されていた画像情報が第３の受光素子３０３Ｃを介して画像処理部４１３に転送される。
【０１２０】
第２の受光素子３０２Ｃは、そのラインメモリ３３に記憶された画像情報の転送が終了すると、タイミング制御回路３７１が出力端子３７ａから受信リクエスト信号を出力する。
【０１２１】
第１の受光素子３０１Ｃのタイミング制御回路３７１は、受信リクエスト信号を入力端子３７ｄから入力し、この受信リクエスト信号に応答してアクノリッジ信号を出力端子３７ｃから出力する。また、第１の受光素子３０１Ｃのタイミング制御回路３７１は、受信リクエスト信号に応答して、セレクタ３６を介して送信部３４Ｃに第１の受光素子３０１Ｃのラインメモリ３３に記憶された画像情報を出力させ、第２の受光部３０２Ｃに送信させる。
【０１２２】
第２の受光素子３０２Ｃのタイミング制御回路３７１は、第１の受光素子３０１Ｃからのアクノリッジ信号に応じて、その受信部３５Ｃの出力信号が送信部３４Ｃに出力されるようにセレクタ３６の動作状態を切り換える。また、第２の受光素子３０２Ｃのタイミング制御回路３７１は、第１の受光素子３０１Ｃからのアクノリッジ信号に応じて、第３の受光素子３０３Ｃへのアクノリッジ信号を、第１の受光素子３０１Ｃの画像情報の転送が完了するまでオンの状態に保持する。
【０１２３】
第１の受光部３０１Ｃの入力端子３７ｂはグランド（０Ｖ）に接続されているので、第１の受光部３０１Ｃのアクノリッジ信号は、第１の受光部３０１Ｃからの画像情報の転送の終了によりオフ状態となる。
【０１２４】
これにより、第３の転送サイクルにおいて、第１の受光素子３０１Ｃのラインメモリ３３に記憶されていた画像情報が、第２の受光素子３０２Ｃ及び第３の受光素子３０３Ｃを介して画像処理部４１３に転送される。
【０１２５】
［第６の実施の形態］
次に、図１１Ａ及び図１１Ｂを参照して本発明の第６の実施の形態を説明する。
【０１２６】
（受光部の構成）
図１１Ａは、本発明の第６の実施の形態に係る画像読取装置の受光部３００Ｄの概略の構成の一例を示す。
【０１２７】
本実施の形態に係る受光部３００Ｄは、第５の実施の形態と同様に構成されたフォトダイオードアレイ３１，送信部３４Ｃ，及び受信部３５Ｃを有するが、ＡＤコンバータアレイ３２及びラインメモリ３３を有しない点などで第５の実施の形態に係る受光部３００Ｃと異なっている。
【０１２８】
本実施の形態に係る受光部３００Ｄは、フォトダイオードアレイ３１，サンプルホールド回路３１１，送信部３４Ｃ，受信部３５Ｃ，第１のセレクタ３８１，第２のセレクタ３８２，ＡＤコンバータ３９，及びタイミング制御回路３７２を有している。
【０１２９】
サンプルホールド回路３１１は、ｎ個のサンプルホールド素子３１１１，３１１２，・・・，３１１ｎ−１，３１１ｎを備えている。これらのサンプルホールド素子３１１１，３１１２，・・・，３１１ｎ−１，３１１ｎは、それぞれがフォトダイオード３１１，３１２，・・・，３１ｎ−１，３１ｎに対応しており、フォトダイオード３１１，３１２，・・・，３１ｎ−１，３１ｎの出力信号をサンプリングして保持する。
【０１３０】
第１のセレクタ３８１は、タイミング制御回路３７２から出力されるセレクト信号に応じて、サンプルホールド回路３１１のサンプルホールド素子３１１１，３１１２，・・・，３１１ｎ−１，３１１ｎの何れか１つの出力信号をＡＤコンバータ３９に出力するように構成されている。
【０１３１】
ＡＤコンバータ３９は、第１のセレクタ３８１から出力されたアナログ信号をデジタル信号に変換して第２のセレクタ３８２に出力する。このＡＤコンバータ３９は、変換素子の一例である。
【０１３２】
第２のセレクタ３８２は、ＡＤコンバータ３９の出力（パラレルデータ）をシリアルデータに変換するシリアライザ機能を備え、このＡＤコンバータ３９の出力を変換したシリアルデータ、又は受信部３５Ｃの出力の何れか一方を送信部３４Ｃに出力するように構成されている。第１のセレクタ３８１，第２のセレクタ３８２，送信部３４Ｃ，及びタイミング制御回路３７２は、出力手段の一例である。
【０１３３】
受信部３５Ｃは、他の受光素子３０から画像情報をシリアルデータとして受信し、シリアルデータのまま第２のセレクタ３８２に出力する。また、送信部３４Ｃは、第２のセレクタ３８２から出力されたシリアルデータを送信端子３４ａから送信する。
【０１３４】
（受光装置の構成）
図１１Ｂは、本実施の形態に係る第１の受光部３０１Ｄ，第２の受光部３０２Ｄ，及び第３の受光部３０３Ｄを主走査方向に沿って配列した受光装置３Ｄの構成例を示す。第１の受光部３０１Ｄ，第２の受光部３０２Ｄ，及び第３の受光部３０３Ｄは、図１１Ａに示す受光部３００Ｄと同じ構成及び機能を有している。
【０１３５】
この図に示すように、第１の受光部３０１Ｄの出力端子３７ｃは第２の受光部３０２Ｄの入力端子３７ｂに、第２の受光部３０２Ｄの出力端子３７ａは第１の受光部３０１Ｄの入力端子３７ｄに、第３の受光部３０３Ｄの出力端子３７ａは画像処理部４１３に、それぞれ接続されている。また、第２の受光部３０２Ｄの出力端子３７ｃは第３の受光部３０３Ｄの入力端子３７ｂに、第３の受光部３０３Ｄの出力端子３７ａは第２の受光部３０２Ｄの入力端子３７ｄに、それぞれ接続されている。
【０１３６】
第１の受光部３０１Ｄの入力端子３７ｂはグランド（０Ｖ）に接続されている。画像処理部４１３からのリード信号は、第１の受光部３０１Ｄ，第２の受光部３０２Ｄ，及び第３の受光部３０３Ｄの入力端子３０ａ、並びに第３の受光部３０３Ｄの入力端子３７ｄに接続されている。
【０１３７】
本実施の形態に係る第１の受光部３０１Ｄ，第２の受光部３０２Ｄ，及び第３の受光部３０３Ｄからの送信データ、及び受信リクエスト信号，アクノリッジ信号の動作は、図１０を参照して説明した第５の実施の形態における動作と共通するが、受光部内部での動作は第５の実施の形態と異なっている。
【０１３８】
すなわち、第５の実施の形態では、ＡＤコンバータ３２でデジタル信号に変換された画像情報をラインメモリ３３に記憶して順次転送したが、本実施の形態ではサンプルホールド回路３１１のサンプルホールド素子３１１１，３１１２，・・・，３１１ｎ−１，３１１ｎに保持されたアナログ信号を順次ＡＤコンバータ３９でデジタル信号に変換し、この変換によって生成された画像情報を第２のセレクタ３８２を介して送信部３４Ｃに出力する。
【０１３９】
第１の受光部３０１Ｄで生成された画像情報は、第２の受光部３０２Ｄ及び第３の受光部３０３Ｄを介して画像処理部４１３に転送され、第２の受光部３０２Ｄで生成された画像情報は第３の受光部３０３Ｄを介して画像処理部４１３に転送される。
【０１４０】
上記のように、本実施の形態に係る受光部３００Ｄは、ラインメモリ３３を有していないので、ラインメモリ３３のシフト動作等に必要となる電力を削減することができる。
【０１４１】
［他の実施の形態］
なお、本発明は、上記各実施の形態に限定されず、本発明の趣旨を逸脱しない範囲内で種々な変形が可能である。
【０１４２】
例えば、上記各実施の形態では３つの受光部を直列に接続した場合について説明したが、受光部の数に制限はなく、２個又は４個以上（例えば１８個）の受光部を配置及び接続することが可能である。
【０１４３】
また、上記第５及び第６の実施の形態では、受光部が、そのフォトダイオードアレイ３１の信号に基づく画像情報を転送した後、他の受光部から受け付けた画像情報の転送を行うようにしたが、他の受光部から受け付けた画像情報を先に送信し、その後にフォトダイオードアレイ３１の信号に基づく画像情報を転送するようにしてもよい。
【０１４４】
また、受光装置を構成する複数の受光部のうち、最も上流側に配置された受光部は受信部を有しなくともよい。
【符号の説明】
【０１４５】
２…蓋部、３，３Ｃ，３Ｄ…受光装置、３ａ，３ｂ，３ｃ，３ｄ，３ｅ，３ｆ…伝送線路、８ａ…照射光、８ｂ…反射光、９…原稿、９ａ…表面、１０…画像読取部、１１…原稿台、１２…光源、１３…導光体、１４…結像レンズ、２０…原稿搬送機構、２１…給紙トレイ、２２…原稿分離ロール、２３…原稿搬送ロール、２４…読取ロール、２５…排出ロール、２６…排紙台、３０…受光素子、３０ａ…入力端子、３１…フォトダイオードアレイ、３１１，３１２，３１ｎ−１，３１ｎ…フォトダイオード、３２…ＡＤコンバータアレイ、３２１，３２２，３２ｎ−１，３２ｎ…ＡＤ変換素子、３２…コンバータアレイ、３３…ラインメモリ、３３１，３３２，３３ｎ−１，３３ｎ…レジスタ、３４…送信部、３４Ａ…第１の送受信部、３４Ｂ…出力部、３４Ｃ…送信部、３４ａ…送信端子、３４ｂ，３５ｃ，３７ａ，３７ｃ…出力端子、３４ｃ，３４ｄ，３５ｂ，３５ｄ，３７ｂ，３７ｄ…入力端子、３５…受信部、３５Ａ…第２の送受信部、３５Ｂ…入力部、３５Ｃ…受信部、３５ａ…受信端子、３６…セレクタ、３９…ＡＤコンバータ、４０…コントローラ、４１…読取制御部、４２…操作パネル、１００…画像読取装置、１１１…白基準部材、３００，３００Ｃ，３００Ｄ…受光部、３０１，３０１Ａ，３０１Ｂ，３０１Ｃ，３０１Ｄ…第１の受光部、３０２，３０２Ａ，３０２Ｂ，３０２Ｃ，３０２Ｄ…第２の受光部、３０３，３０３Ｃ，３０１Ｄ…第３の受光部、３１１…サンプルホールド回路、３１１１，３１１２，３１１ｎ−１，３１１ｎ…サンプルホールド素子、３１４…画像処理部、３４１…シリアライザ、３４２…差動送信器、３４２…シリアライザ、３４２ａ…第１の送信端子、３４２ｂ…第２の送信端子、３４３…タイミング制御回路、３４４…差動受信器、３４４ａ…第１の受信端子、３４４ｂ…第２の送信端子、３４５…デシリアライザ、３４６…タイミング制御回路、３４７…インバータ、３４８…バスドライバ、３４９…タイミング制御回路、３５１…差動受信器、３５１ａ…第１の受信端子、３５１ｂ…第２の受信端子、３５２…デシリアライザ、３５３…タイミング制御回路、３５４…シリアライザ、３５５…差動送信器、３５５ａ…第１の送信端子、３５５ｂ…第２の送信端子、３５６…タイミング制御回路、３５７…インバータ、３５８…バスレシーバ、３５９，３７１，３７２…タイミング制御回路、３８１…第１のセレクタ、３８２…第２のセレクタ、４１１…駆動制御部、４１２…点灯制御部、４１３…画像処理部、４１４…送信部
【図１】
0005703656.tif 000002
【図２】
0005703656.tif 000003
【図３】
0005703656.tif 000004
【図４】
0005703656.tif 000005
【図５】
0005703656.tif 000006
【図６】
0005703656.tif 000007
【図７】
0005703656.tif 000008
【図８】
0005703656.tif 000009
【図９Ａ】
0005703656.tif 000010
【図９Ｂ】
0005703656.tif 000011
【図１０】
0005703656.tif 000012
【図１１Ａ】
0005703656.tif 000013
【図１１Ｂ】
0005703656.tif 000014